(57)【要約】【課題】簡易な構成であり、かつ、煩雑な操作無しでバスケットを安定して積み重ねることができる状態へと移行させることができるバスケットを提供すること。【解決手段】バスケット１００は、上部に略四角形状の収容口を有するバスケット本体１１０と、把持部材１２０、１３０と、を有し、把持部材１２０、１３０は、（ｉ）把持部１２１、１３１と当該把持部１２１、１３１の両側の脚部１２２、１３２とからなる略コ字状の部材であり、（ｉｉ）バスケット本体１１０に起倒自在に取り付けられ、（ｉｉｉ）互いに離間する方向に倒れ込む第１の倒状態と互いに交差する方向に倒れ込む第２の倒状態とを取り得るようになされ、さらに、把持部材１２０、１３０には、第２の倒状態となったときに、相手側の把持部材１２０、１３０を逃げる逃げ部１２２ａ、１２２ｂが形成されている。【選択図】図２
2020125126.tif 000002
【特許請求の範囲】
【請求項１】
上部に略四角形状の収容口を有するバスケット本体と、
それぞれが、（ｉ）把持部と当該把持部の両側の脚部とからなる略コ字状の部材であり、（ｉｉ）前記バスケット本体に起倒自在に取り付けられ、（ｉｉｉ）互いに離間する方向に倒れ込む第１の倒状態と互いに交差する方向に倒れ込む第２の倒状態とを取り得る、第１及び第２の把持部材と、
を有し、
前記第１及び又は前記第２の把持部材には、前記第１及び第２の把持部材が前記第２の倒状態となったときに、相手側の把持部材を逃げる逃げ部が形成されている、
バスケット。
【請求項２】
前記第２の把持部材の前記脚部の間隔は、前記第１の把持部材の前記脚部の間隔よりも幅広であり、
前記第１の把持部材の前記脚部には、前記第１及び第２の把持部材が前記第２の倒状態となったときに、前記第２の把持部材の前記脚部を逃げる前記逃げ部が形成されている、
請求項１に記載のバスケット。
【請求項３】
前記第１及び第２の把持部材の前記把持部は、前記第２の倒状態となったときに、同一平面内に存在する、
請求項１又は２に記載のバスケット。
【請求項４】
前記第１及び第２の把持部材が前記第２の倒状態となったときに、前記第１及び第２の把持部材の前記把持部は互いに平行に前記バスケット本体の収容口を横切り、
さらに、前記バスケット本体の底面には、前記バスケットを積み重ねたときに、前記把持部と干渉してズレを規制する位置決め部が形成されている、
請求項１から３のいずれか一項に記載のバスケット。
【請求項５】
前記位置決め部は、互いに平行な前記把持部を挟み込む位置、又は互いに平行な前記把持部によって挟み込まれる位置に形成されている、
請求項４に記載のバスケット。
【請求項６】
請求項４に記載の第１のバスケットと、
請求項４に記載の第２のバスケットと、
を有し、
前記第１のバスケットは、少なくとも平面方向のサイズが前記第２のバスケットよりも大きく、
前記第１のバスケットの前記把持部材が前記第２の倒状態となったときの前記把持部間の間隔は、前記第２のバスケットの底面の少なくとも一辺の長さよりも小さく、
前記第２のバスケットの前記位置決め部は、前記第１のバスケットに前記第２のバスケットを積み重ねたときに、前記第１のバスケットの前記把持部と干渉して前記第２のバスケットの平面方向のズレを規制する、
バスケットシステム。
【発明の詳細な説明】
【技術分野】
【０００１】
本発明は、例えば洗濯物などを収容して運搬可能なバスケットに関する。
【背景技術】
【０００２】
従来、洗濯物などを収容して運搬可能なバスケットは、バスケット本体と、このバスケット本体の上部に起倒自在に取り付けられた把持部材（取っ手と言ってもよい）と、を有する。把持部材は、バスケット本体に収容物を出し入れする際には倒状態とされ、バスケット本体の運搬時には起立状態とされる。
【０００３】
この種のバスケットとして、特許文献１、２で開示されているように、収容物を収容した状態で複数のバスケットを積み重ねることができるようにしたものがある。特許文献１、２で開示されているバスケットは、把持部材を利用してバスケットを積み重ねることができるよう工夫されている。具体的には、把持部材がスライド可能にバスケット本体に取り付けらており、第１のバスケットの上に第２のバスケットを積み重ねる場合には、第１のバスケットの把持部材を第２のバスケットの底面を載せることができる位置にスライドさせる。
【０００４】
これにより、特許文献１、２で開示されているバスケットによれば、バスケット内に収納物を入れた状態でも、把持部材を有効に活用して、バスケットを安定して積み重ねることができるようになっている。
【先行技術文献】
【特許文献】
【０００５】
【特許文献１】実用新案登録第３００１３６７号公報
【特許文献２】特開２００３−８１２７３号公報
【発明の概要】
【発明が解決しようとする課題】
【０００６】
ところで、特許文献１、２で開示されたような、把持部材をスライドさせる機構を有するバスケットにおいては、ユーザーがバスケットを積み重ねようとする際に把持部材をスライドさせる必要があり、煩雑である。また、一旦積み重ね状態にスライドさせた把持部材は、バスケットの運搬時には、元のスライド位置に戻さなければならない。
【０００７】
また、把持部材のスライド操作といった煩雑な操作が必要となるばかりでなく、そもそもスライド機構といった複雑な機構を設けなければならず、その結果、製造が複雑化する。さらに、このような複雑な機構を搭載すると、スライド機構が壊れる可能性が生じ、ひいてはバスケット全体としての耐久性が低下しかねない問題が生じる。
【０００８】
本発明は、以上の点を考慮してなされたものであり、簡易な構成であり、かつ、煩雑な操作無しでバスケットを安定して積み重ねることができる状態へと移行させることができる、簡易な構成のバスケットを提供する。
【課題を解決するための手段】
【０００９】
本発明のバスケットの一つの態様は、
上部に略四角形状の収容口を有するバスケット本体と、
それぞれが、（ｉ）把持部と当該把持部の両側の脚部とからなる略コ字状の部材であり、（ｉｉ）前記バスケット本体に起倒自在に取り付けられ、（ｉｉｉ）互いに離間する方向に倒れ込む第１の倒状態と互いに交差する方向に倒れ込む第２の倒状態とを取り得る、第１及び第２の把持部材と、
を有し、
前記第１及び又は前記第２の把持部材には、前記第１及び第２の把持部材が前記第２の倒状態となったときに、相手側の把持部材を逃げる逃げ部が形成されている。
【発明の効果】
【００１０】
本発明によれば、簡易な構成であり、かつ、煩雑な操作無しでバスケットを安定して積み重ねることができる状態へと移行させることができるようになる。
【図面の簡単な説明】
【００１１】
【図１】実施の形態に係るバスケットの全体構成を示す図であり、収容物の出し入れ状態を示す斜視図
【図２】バスケットの積み重ね状態を示す斜視図
【図３】収容物の出し入れ状態を示す上面図
【図４】バスケットの積み重ね状態を示す上面図
【図５】逃げ部を拡大して示す側面図
【図６】底面の折り曲げ部の説明に供する斜視図
【図７】バスケットを積み重ねた状態を示す斜視図
【図８】異なるサイズのバスケットを積み重ねた様子を示す斜視図
【図９】同一サイズのバスケットを９０°異なる方向に向けて積み重ねた様子を示す斜視図
【発明を実施するための形態】
【００１２】
以下、本発明の実施の形態を、図面を参照して説明する。
【００１３】
図１−図６は、本発明の実施の形態に係るバスケットの構成を示す図である。図１は収容物の出し入れ状態を示す斜視図である。図２は積み重ね状態を示す斜視図である。図３は出し入れ状態を示す上面図である。図４は積み重ね状態を示す上面図である。図５は逃げ部を拡大して示す側面図である。図６は底面の折り曲げ部の説明に供する斜視図である。
【００１４】
本実施の形態のバスケット１００は、ステンレスやアルミ、スチールなどの金属からなるワイヤーを折り曲げ及び接合してなるワイヤーバスケットである。バスケット１００は、例えば洗濯物を収容して運搬する洗濯かごとして用いるのに好適な構成となっている。
【００１５】
バスケット１００は、バスケット本体１１０と、２つの把持部材１２０、１３０と、を有する。把持部材１２０、１３０は、バスケット本体１１０に支持部１１１を介して回転自在（起倒自在と言ってもよい）に取り付けられている。
【００１６】
バスケット本体１１０は、上部に略四角形状の収容口を有する。バスケット本体１１０は、複数のワイヤーが折り曲げられ接合されて形成されている。バスケット本体１１０は、収容口を除いた面にワイヤーが錯綜されている。
【００１７】
把持部材１２０は、把持部１２１と当該把持部１２１の両側の脚部１２２とからなる略コ字状の部材である。同様に、把持部材１３０は、把持部１３１と当該把持部１３１の両側の脚部１３２とからなる略コ字状の部材である。把持部材１２０、１３０は、支持部１１１に支持されて回転することで、図１に示したような、互いに離間する方向に倒れ込む第１の倒状態（換言すれば、収容物の出し入れ状態）と、図２に示したような、互いに交差する方向に倒れ込む第２の倒状態（換言すれば、複数のバスケットの積み重ね状態）とを取り得るようになっている。
【００１８】
把持部材１２０には、把持部材１２０、１３０が第２の倒状態となったときに、把持部材１３０を逃げる逃げ部１２２ａ、１２２ｂが形成されている。逃げ部１２２ａ、１２２ｂは、脚部１２１に形成された山型の折り曲げ部である。
【００１９】
図３からよく分かるように、把持部材１３０の脚部１３２は、把持部材１２０の脚部１２２よりも幅広である。より明確に言えば、把持部材１３０の脚部１３２の間隔は、把持部材１２０の脚部１２２の間隔よりも幅広である。具体的には、把持部材１３０の脚部１３２は、支持部１１１の近傍において拡がる方向（図３の矢印で示す方向）に折り曲げられており、この結果、脚部１３２は、バスケット本体１１０の上縁から若干横方向にはみ出した状態でバスケット本体１１０上に載る。これに対して、把持部材１２０の脚部１２２は、バスケット本体１１０の上縁から横方向にはみ出さず、上縁に沿ってバスケット本体１１０上に載る。
【００２０】
このように、脚部１３２を脚部１２２よりも幅広とし、かつ、脚部１２２に逃げ部１２２ａ、１２２ｂを形成したことにより、図２及び図４に示したような、把持部材１２０、１３０が第２の倒状態となったときに、把持部材１２０、１３０が互いに干渉し合うことなく交差する。この結果、把持部材１２０、１３０は、がたつくこと無くバスケット本体１１０上に載るので、把持部材１２０、１３０上に別のバスケットを安定して載置できるようになる。なお、図５の拡大図から明らかなように、逃げ部１２２ａ、１２２ｂは、脚部１３２の根元の拡幅部分において脚部１３２をかわす。
【００２１】
図６からよく分かるように、バスケット本体１１０の底面には、下方に突出する凸状の折り曲げ部１１２が形成されている。折り曲げ部１１２は４個形成されている。折り曲げ部１１２は、バスケット１００を積み重ねたときに、把持部１２１、１３１と干渉することで、載置されたバスケット１００のずれを規制する位置決め部としての機能を有する。
【００２２】
図７は、バスケット１００を積み重ねた状態を示す斜視図である。図７や図２、図４から分かるように、把持部材１２０、１３０が第２の倒状態（換言すれば、複数のバスケットの積み重ね状態）となったときに、把持部材１２０、１３０の把持部１２１、１３１は互いに平行にバスケット本体１１０の収容口を横切った状態となる。また、把持部材１２０、１３０の把持部１２１、１３１は、第２の倒状態となったときに、同一平面内に存在している。折り曲げ部１１２は、バスケット本体１１０の収容口を互いに平行に横切っている把持部１２１、１３１と干渉してずれを規制する位置に形成されている。
【００２３】
具体的には、図７から分かるように、折り曲げ部１１２は、互いに平行な把持部１２１、１３１を挟み込む位置に形成されている。これにより、図７における上側のバスケット１００を矢印ｘの方向に動かそうとしても上側のバスケット１００の折り曲げ部１１２と下側のバスケット１００の把持部１２１、１３１とが干渉して上側のバスケット１００は矢印ｘの方向には動かない。また、図７における上側のバスケット１００を矢印ｙの方向に動かそうとしても上側のバスケット１００の折り曲げ部１１２と下側のバスケット１００のバスケット本体１１０の収容口の縁とが干渉して上側のバスケット１００は矢印ｙの方向には動かない。
【００２４】
実際上、第２の倒状態となったときの把持部１２１、１３１と、折り曲げ部１１２との距離は、上側のバスケット１００をｘ方向にずらそうとしたときに、上側のバスケット１００の底面が下側のバスケット１００の収容口からはみ出さない程度とすることが好ましい。つまり、折り曲げ部１１２を、第２の倒状態となったときの把持部１２１、１３１の極近傍に形成すれば、上側のバスケット１００はｘ方向にほとんど動かなくなるが、ユーザーが下側のバスケット１００に上側のバスケット１００を積み重ねる際に把持部１２１、１３１に折り曲げ部１１２がぶつかりやすくなるので、慎重な積み重ね作業が要求され、使い勝手が悪くなる。これを考慮して、図７に示したように、第２の倒状態となったときの把持部１２１、１３１と、折り曲げ部１１２との間には、数ｃｍ程度（例えば２〜５ｃｍ）の距離が存在することが好ましい。
【００２５】
なお、本実施の形態では、図７に示したように、折り曲げ部１１２を、第２の倒状態となったときの把持部１２１、１３１を挟み込む位置（つまり把持部１２１、１３１の外側）に形成した場合について述べたが、折り曲げ部１１２を、第２の倒状態となったときの把持部１２１、１３１によって挟み込まれる位置（つまり把持部１２１、１３１の内側）に形成してもよい。
【００２６】
次に、本実施の形態のバスケット１００の使用形態について説明する。
【００２７】
ユーザーは、バスケット１００に洗濯物などの収容物を出し入れする際には、図１及び図３に示されているように、把持部材１２０、１３０を第１の倒状態にする。なお、ユーザーは、バスケット１００を運搬する際には、把持部材１２０、１３０を起立状態にし、把持部１３１、１３２を例えば片手でつかんでバスケット１００を運搬する。
【００２８】
ユーザーは、バスケット本体１１０内に収容物が入った状態でその上に別のバスケット１００を積み重ねたい場合には、図２及び図４に示されているように、把持部材１２０、１３０を第２の倒状態にする。このとき、ユーザーは、把持部材１２０、１３０が交差するように把持部材１２０、１３０を倒すだけで簡単に把持部材１２０、１３０を第２の倒状態にすることができる。つまり、把持部材１２０、１３０をスライドさせるなどの煩雑な操作が不要である。
【００２９】
この第２の倒状態において、把持部材１２０、１３０は互いに干渉し合うことなく交差し、把持部材１２０、１３０は、逃げ部１２２ａ、１２２ｂを除いた部分が同一平面に存在する。これにより、把持部１２１、１３１も同一平面に存在する。
【００３０】
ユーザーは、同一平面に存在する把持部１２１、１３１上に別のバスケットを載置する。これにより、載置されたバスケット１００は、がたつくことなく下のバスケット１００上に載置される。また、上のバスケット１００を図７のｘ方向及びｙ方向にずらそうとすると、上のバスケット１００の折り曲げ部１１２が下のバスケット１００の把持部１２１、１３１及び収容口に干渉することにより、ｘ方向及びｙ方向の移動が規制される。これにより、上のバスケット１００の底面が下のバスケット１００の収容口の外側にずれない。この結果、積み重ね位置が所定範囲に保たれる。
【００３１】
以上説明したように、本実施の形態によれば、上部に略四角形状の収容口を有するバスケット本体１１０と、把持部材１２０、１３０と、を有し、把持部材１２０、１３０は、（ｉ）把持部１２１、１３１と当該把持部１２１、１３１の両側の脚部１２２、１３２とからなる略コ字状の部材であり、（ｉｉ）バスケット本体１１０に起倒自在に取り付けられ、（ｉｉｉ）互いに離間する方向に倒れ込む第１の倒状態と互いに交差する方向に倒れ込む第２の倒状態とを取り得るようになされ、さらに、把持部材１２０、１３０には、第２の倒状態となったときに、相手側の把持部材１２０、１３０を逃げる逃げ部１２２ａ、１２２ｂが形成されている。
【００３２】
これにより、簡易な構成であり、かつ、煩雑な操作無しで把持部材１２０、１３０を別のバスケット１００を安定して積み重ねることができる積み重ね状態（第２の倒状態）へと移行させ得る、バスケット１００を実現できる。
【００３３】
また、積み重ねた状態において上側のバスケット１００が下側のバスケット１００の収納空間に入り込まないので、下側のバスケット１００の収容体積が確保される。
【００３４】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００３５】
上述の実施の形態では、２つの把持部材１２０、１３０のうちの、一方の把持部材１３０の脚部１３２の間隔のみを幅広とし、他方の把持部材１２０にのみ逃げ部１２２ａ、１２２ｂを形成した場合について述べたが、本発明はこれに限らず、把持部材１２０、１３０のそれぞれに幅広の脚部と逃げ部とを１つずつ形成してもよい。要は、２つの把持部材１２０、１３０に、幅広の脚部とその幅広の脚部を逃げる逃げ部とを形成することで、交差する方向に倒れ込む第２の倒状態となったときに２つの把持部材１２０、１３０が互いに干渉しないようにすればよい。
【００３６】
上述の実施の形態では、例えば図７に示したように、同一サイズのバスケット１００を同じ方向に積み重ねる場合について述べたが、本発明の構成は、図８に示したように、異なるサイズのバスケット２００、３００を積み重ねる場合や、図９に示したように、同一サイズのバスケット４００を９０°異なる方向に向けて積み重ねる場合にも有効である。
【００３７】
図８は、異なるサイズのバスケット２００、３００を積み重ねた様子を示す斜視図である。バスケット２００、３００は、それぞれ、上述したバスケット１００と比較してサイズが異なるだけでほぼ同一の構成を有する。よって、図８では、ここでの説明に必要な部分のみに符号を付してある。
【００３８】
バスケット２００は、バスケット３００よりもサイズが大きい。より具体的には、バスケット２００は、少なくとも平面方向のサイズがバスケット３００よりも大きい。バスケット２００の把持部材２２０、２３０が第２の倒状態となったときの把持部２２１、２３１間の間隔は、バスケット３００の底面の少なくとも一辺の長さ（図８の場合には長辺）よりも小さい。また、バスケット３００の折り曲げ部３１２は、バスケット２００にバスケット３００を積み重ねたときに、バスケット２００の把持部２２１、２３１と干渉してバスケット３００の平面方向のずれを規制できる位置に設けられている。
【００３９】
これにより、サイズの大きいバスケット２００の上に、サイズの小さいバスケット３００を容易かつ安定的に積み重ねることができるバスケットシステムを実現できる。
【００４０】
図９は、同一サイズのバスケット４００を９０°異なる方向に向けて積み重ねた様子を示す斜視図である。このような積み重ね形態を想定して、折り曲げ部４１２は、上述の実施の形態のように、同一方向に向けてバスケットを積み重ねたときに把持部と干渉してずれを規制する位置に設けることに加えて、９０°異なる方向に向けてバスケットを積み重ねたときに相手側の収容口と干渉してずれを規制する位置に設けることが好ましい。
【００４１】
このように底面の折り曲げ部の位置を、種々の積み重ね状態を想定して選定すれば、ずれの少ない好適な積み重ねを実現できる。なお、上述の実施の形態では、折り曲げ部１１２、３１２、４１２によって積み重ね時のズレを規制する場合について述べたが、これに限らず、折り曲げ部に代えてズレを規制するための部品を別途設けてもよく、要は、バスケット本体の底面に、バスケットを積み重ねたときに、把持部と干渉してズレを規制する位置決め部を形成すればよい。
【００４２】
なお、上述の実施の形態では、本発明を金属のワイヤーからなるワイヤーバスケットに適用した場合について述べたが、本発明はこれに限らず、例えば合成樹脂などを材料とするバスケットに適用した場合にも同様の効果を得ることができる。
【産業上の利用可能性】
【００４３】
本発明は、例えば洗濯物などの収容物を収容した状態で互いに積み重ねることができるバスケットに適用し得る。
【符号の説明】
【００４４】
１００、２００、３００、４００  バスケット
１１０  バスケット本体
１１１  支持部
１２０、１３０、２２０、２３０  把持部材
１２１、１３１、２２１、２３１  把持部
１２２、１３２  脚部
１２２ａ、１２２ｂ  逃げ部
１１２、３１２、４１２  折り曲げ部 
【図１】
2020125126.tif 000003
【図２】
2020125126.tif 000004
【図３】
2020125126.tif 000005
【図４】
2020125126.tif 000006
【図５】
2020125126.tif 000007
【図６】
2020125126.tif 000008
【図７】
2020125126.tif 000009
【図８】
2020125126.tif 000010
【図９】
2020125126.tif 000011